【手続補正書】
【提出日】平成25年8月2日(2013.8.2)
【手続補正１】
【補正対象書類名】特許請求の範囲
【補正対象項目名】全文
【補正方法】変更
【補正の内容】
【特許請求の範囲】
【請求項１】
光源ユニットを備える照明器具であって、
上記光源ユニットは、
半導体発光素子と、
上記半導体発光素子から出射された光のうちの一部が入射し、入射した光の方向を変更する光方向変更部と、
を備え、
上記光方向変更部は、上記半導体発光素子から出射される光の光軸に垂直な平面に近い方向に、光の方向を変更するものであり、
上記光方向変更部は、光を反射する反射板であることを特徴とする照明器具。
【請求項２】
上記反射板は、半円錐の側面の形状であることを特徴とする請求項１に記載の照明器具。
【請求項３】
上記光源ユニットは基板上に配置されており、
上記半円錐の側面は、
上記半導体発光素子の上記光軸を中心軸とする円錐の一部であり、
上記半円錐の頂点は、上記半導体発光素子の略中心と近接している、ことを特徴とする請求項２に記載の照明器具。
【請求項４】
上記反射板の材質は、金属であることを特徴とする請求項１に記載の照明器具。
【請求項５】
上記金属は銀であることを特徴とする請求項４に記載の照明器具。
【請求項６】
材質が銀である上記反射板の表面はシリコーンでコーティングされていることを特徴とする請求項５に記載の照明器具。
【請求項７】
光源ユニットを備える照明器具であって、
上記光源ユニットは、
半導体発光素子と、
上記半導体発光素子から出射された光のうちの一部が入射し、入射した光の方向を変更する光方向変更部と、
を備え、
上記光方向変更部は、上記半導体発光素子から出射される光の光軸に垂直な平面に近い方向に、光の方向を変更するものであり、
上記光方向変更部は、光ファイバーであることを特徴とする照明器具。
【請求項８】
上記光源ユニットは基板上に配置されており、
複数の上記光源ユニットを備え、
複数の上記光源ユニットは、上記基板上の一つの円上に等間隔で配置されていることを特徴とする請求項１に記載の照明器具。
【請求項９】
光源ユニットを備える照明器具であって、
上記光源ユニットは、
半導体発光素子と、
上記半導体発光素子から出射された光のうちの一部が入射し、入射した光の方向を変更する光方向変更部と、を備え、
上記光方向変更部は反射板を複数有し、上記複数の反射板はそれぞれ入射した光を反射するものであることを特徴とする照明器具。
【請求項１０】
上記複数の反射板は、第１反射板と第２反射板とを備え、上記第１反射板は上記第２反射板より上に配置されていることを特徴とする請求項９に記載の照明器具。
【請求項１１】
上記複数の反射板の少なくとも一つは、鍔部を備えていることを特徴とする請求項９に記載の照明器具。
【請求項１２】
上記鍔部を備えている上記複数の反射板の少なくとも一つは、芯部をさらに備えていることを特徴とする請求項１１に記載の照明器具。
【請求項１３】
ＬＥＤ発光素子と、
上記ＬＥＤ発光素子から入射した光を反射するための第１の反射部と、
上記ＬＥＤ発光素子から入射した光を反射するための第２の反射部と、を備え、
上記第２の反射部と上記ＬＥＤ発光素子との距離は、上記第１の反射部と上記ＬＥＤ発光素子との距離より短いことを特徴とするＬＥＤ電球。
【請求項１４】
上記光方向変更部に入射しない残部の光は、そのまま外部に出射されることを特徴とする請求項１に記載の照明器具。
【請求項１５】
上記光方向変更部に入射しない残部の光は、そのまま外部に出射されることを特徴とする請求項９に記載の照明器具。
【請求項１６】
上記第１の反射部及び第２の反射部に入射しない残部の光は、そのまま外部に出射されることを特徴とする請求項１３に記載のＬＥＤ電球。
【手続補正２】
【補正対象書類名】明細書
【補正対象項目名】００１０
【補正方法】変更
【補正の内容】
【００１０】
上記の課題を解決するために、本発明に係る照明器具は、光源ユニットを備える照明器具であって、上記光源ユニットは、半導体発光素子と、上記半導体発光素子から出射された光のうちの一部が入射し、入射した光の方向を変更する光方向変更部と、を備え、上記光方向変更部は、上記半導体発光素子から出射される光の光軸に垂直な平面に近い方向に、光の方向を変更するものであり、上記光方向変更部は、光を反射する反射板であることを特徴とする。なお、本発明に係る照明器具は、光源ユニットを備える照明器具であって、上記光源ユニットは、半導体発光素子と、上記半導体発光素子から出射された光のうちの一部が入射し、入射した光の方向を変更する光方向変更部と、を備え、上記光方向変更部は反射板を複数有し、上記複数の反射板はそれぞれ入射した光を反射するものであることがより好ましい。また、本発明に係る照明器具において、上記複数の反射板は、第１反射板と第２反射板とを備え、上記第１反射板は上記第２反射板より上に配置されていることがより好ましい。また、本発明に係る照明器具において、上記複数の反射板の少なくとも一つは、鍔部を備えていることがより好ましい。また、本発明に係る照明器具において、上記鍔部を備えている上記複数の反射板の少なくとも一つは、芯部をさらに備えていることがより好ましい。また、本発明に係るＬＥＤ電球は、ＬＥＤ発光素子と、上記ＬＥＤ発光素子から入射した光を反射するための第１の反射部と、上記ＬＥＤ発光素子から入射した光を反射するための第２の反射部と、を備え、上記第２の反射部と上記ＬＥＤ発光素子との距離は、上記第１の反射部と上記ＬＥＤ発光素子との距離より短いことを特徴としている。なお、上記光方向変更部並びに上記第１の反射部及び第２の反射部に入射しない残部の光は、そのまま外部に出射されることがより好ましい。
【手続補正３】
【補正対象書類名】明細書
【補正対象項目名】００１１
【補正方法】変更
【補正の内容】
【００１１】
上記構成にすることによって、上記照明器具において、上記半導体発光素子から出射された光のうちの一部は光方向変更部に入射し、残部は光方向変更部に入射せずに、照明器具外部に出射される。光方向変更部に入射した光は、光方向変更部によって反射され、半導体発光素子から出射される光の光軸に垂直な平面に近い方向に、光の方向を変更される。光方向変更部に入射しないまま、照明器具外部に出射する光は、半導体発光素子から出射される時の方向を維持する。これによって、広範囲を照射でき、正面方向及び水平方向のいずれにも充分な照射強度が得られる。また、それぞれの半導体発光素子からの光を正面方向及び水平方向に照射できるため、指向性を抑え、明暗を抑えることができる。また、上記構成にすることによって、反射板によって効率的に光を反射させることができる。また、ガラス製の光学素子を用いた場合に比べ、軽量でかつ製造コストの低い照明器具となる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１６
【補正方法】変更
【補正の内容】
【００１６】
上記の課題を解決するために、本発明に係る照明器具において、上記反射板は、半円錐の側面の形状をしており、上記半円錐の側面は、上記半導体発光素子の上記光軸を中心軸とする円錐の一部であり、上記半円錐の頂点は、上記半導体発光素子の略中心と近接している構成であってもよい。
【手続補正７】
【補正対象書類名】明細書
【補正対象項目名】００１８
【補正方法】変更
【補正の内容】
【００１８】
上記の課題を解決するために、本発明に係る照明器具において、上記光源ユニットは基板上に配置されており、複数の上記光源ユニットを備え、複数の上記光源ユニットは、上記基板上の一つの円上に等間隔で配置されている構成であってもよい。
【手続補正８】
【補正対象書類名】明細書
【補正対象項目名】００１９
【補正方法】変更
【補正の内容】
【００１９】
上記構成にすることによって、複数の光源ユニットを備えることで、より照度の高い照明器具となる。複数の光源ユニットを上記基板上に、基板上の一つの円上に等間隔で配置されることで、出射光に局所的な明暗が生じることなく、広範囲を照射することができる。
【手続補正９】
【補正対象書類名】明細書
【補正対象項目名】００２４
【補正方法】変更
【補正の内容】
【００２４】
上記の課題を解決するために、本発明に係る照明器具において、材質が銀である上記反射板の表面はシリコーンでコーティングされていてもよい。
【手続補正１０】
【補正対象書類名】明細書
【補正対象項目名】００２６
【補正方法】変更
【補正の内容】
【００２６】
上記の課題を解決するために、本発明に係る照明器具は、光源ユニットを備える照明器具であって、上記光源ユニットは、半導体発光素子と、上記半導体発光素子から出射された光のうちの一部が入射し、入射した光の方向を変更する光方向変更部と、を備え、上記光方向変更部は、上記半導体発光素子から出射される光の光軸に垂直な平面に近い方向に、光の方向を変更するものであり、上記光方向変更部は、光ファイバーであることを特徴としている。
【手続補正１１】
【補正対象書類名】明細書
【補正対象項目名】００２７
【補正方法】変更
【補正の内容】
【００２７】
上記構成にすることによって、上記照明器具において、上記半導体発光素子から出射された光のうちの一部は光方向変更部に入射し、残部は光方向変更部に入射せずに、照明器具外部に出射される。光方向変更部に入射した光は、光方向変更部によって反射され、半導体発光素子から出射される光の光軸に垂直な平面に近い方向に、光の方向を変更される。光方向変更部に入射しないまま、照明器具外部に出射する光は、半導体発光素子から出射される時の方向を維持する。これによって、広範囲を照射でき、正面方向及び水平方向のいずれにも充分な照射強度が得られる。また、それぞれの半導体発光素子からの光を正面方向及び水平方向に照射できるため、指向性を抑え、明暗を抑えることができる。また、上記半導体発光素子から出射された光のうちの一部は光ファイバーに入射し、光ファイバーによって水平方向に近い方向に導光される。これによって、正面の狭い範囲にのみ照射するのではなく、水平方向でも充分な照射強度が得られ、広範囲を照射できる。
【手続補正１２】
【補正対象書類名】明細書
【補正対象項目名】００２８
【補正方法】変更
【補正の内容】
【００２８】
本発明に係る照明器具は、光源ユニットを備える照明器具であって、上記光源ユニットは、半導体発光素子と、上記半導体発光素子から出射された光のうちの一部が入射し、入射した光の方向を変更する光方向変更部と、を備え、上記光方向変更部は、上記半導体発光素子から出射される光の光軸に垂直な平面に近い方向に、光の方向を変更するものであり、上記光方向変更部は、光を反射する反射板であることを特徴とすることによって、半導体発光素子を用いた照明器具であって、広範囲を照射でき、正面方向及び水平方向のいずれにも充分な照射強度が得られる照明器具を提供できるとの効果を奏する。また、反射板によって効率的に光を反射させることができる。また、ガラス製の光学素子を用いた場合に比べ、軽量でかつ製造コストの低い照明器具となる。
【手続補正１３】
【補正対象書類名】明細書
【補正対象項目名】００３３
【補正方法】変更
【補正の内容】
【００３３】
ＬＥＤ電球１００は、外郭部材１０、基板１１、光源ユニット１１０を備えている。基板１１の直径Ｌ３は、６０ｍｍである。ＬＥＤ電球１００は、単または複数の光源ユニット１１０を備えることが可能であるが、本実施形態に係るＬＥＤ電球１００においては、四つの光源ユニット１１０を備えている。四つの光源ユニット１１０はそれぞれの中心２０が円１６上に位置し、かつ円１６上で等間隔となるように配置されている。光源ユニット１１０の中心２０から、基板１１の外周部までの距離Ｌ２は、１８ｍｍである。
【手続補正１４】
【補正対象書類名】明細書
【補正対象項目名】００４８
【補正方法】変更
【補正の内容】
【００４８】
ＬＥＤ電球６００は、外郭部材１０、基板１１、光源ユニット６１０を備えている。ＬＥＤ電球６００は、単または複数の光源ユニット６１０を備えることが可能であるが、本実施形態に係るＬＥＤ電球６００においては、四つの光源ユニット１１０を備えている。四つの光源ユニット１１０はそれぞれの中心２０が円１６上に位置し、かつ円１６上で等間隔となるように配置されている。
【手続補正１５】
【補正対象書類名】明細書
【補正対象項目名】００５３
【補正方法】変更
【補正の内容】
【００５３】
１０  外郭部材
１１  基板
１２  発光部
１３  ＬＥＤ発光素子（半導体発光素子）
１４  反射板（光方向変更部）
１５  支持部材
１６  円
１７  光軸
１８  角度
１９  頂点
２０  中心
３１、３２、３３、３４  光
４１、４２、４３  反射板（光方向変更部）
４４  支持部材
４５、４６、４７、４８、４９  光
６１  光ファイバー（光方向変更部）
６２  支持部材
１００  ＬＥＤ電球（照明器具）
１１０  光源ユニット
４００  ＬＥＤ電球（照明器具）
４１０  光源ユニット
６００  ＬＥＤ電球（照明器具）
６１０  光源ユニット